【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
人物の位置を取得する人物位置取得手段と、
手の位置を取得する手位置取得手段と、
前記人物位置取得手段の取得結果に基づき、前記人物の前方に仮想的な操作領域を設定する操作領域設定手段と、
前記手位置取得手段の取得結果に基づき、前記手が前記操作領域に接触したと判定した場合に、前記手の位置または動きに基づく入力情報の取得を開始し、前記手が前記操作領域から離れたと判定した場合、前記手が前記操作領域から離れる際の前記手の動きが所定方向の動きであると判定したときに、前記入力情報の取得を終了する入力情報取得手段と、
前記人物位置取得手段の取得結果に基づき、前記人物に対して所定の位置に仮想的な基準領域を設定する基準領域設定手段と
を備え、
前記所定方向の動きは、前記操作領域に対応する人物側に向かう方向の動きであり、
前記入力情報取得手段は、前記手位置取得手段の取得結果に基づき、前記手が前記操作領域から離れたと判定した場合、前記手が前記操作領域から離れる際の前記手の動きの方向を示す第１の方向線を求め、当該第１の方向線が前記操作領域に対応する人物に対して設定された基準領域を通過すると判定したときに、前記入力情報の取得を終了することを特徴とする入力装置。
【請求項２】
前記基準領域は、前記操作領域よりも前記人物の近傍に前記人物の前方を向くように設定されることを特徴とする請求項１に記載の入力装置。
【請求項３】
前記第１の方向線は、前記手が前記操作領域から離れる際の一定期間における前記手の位置の変化を示す有向線分の始点から終点方向に延びる半直線であることを特徴とする請求項１または２に記載の入力装置。
【請求項４】
前記入力情報取得手段は、前記手位置取得手段の取得結果に基づき、前記手が前記操作領域から離れたと判定した場合、前記手が前記操作領域から離れる際の前記手の動きの方向を示す第２の方向線を求め、前記操作領域に対応する人物に対して所定の位置に定められる一点と前記手の位置を結ぶ直線と前記第２の方向線とがなす角が所定範囲内であると判定したときに、前記入力情報の取得を終了することを特徴とする請求項１から３のいずれか１項に記載の入力装置。
【請求項５】
前記一点は、前記操作領域よりも前記人物の近傍に設定されることを特徴とする請求項４に記載の入力装置。
【請求項６】
前記第２の方向線は、前記手が前記操作領域から離れる際の一定期間における前記手の位置の変化を示す有向線分の始点から終点方向に延びる半直線であることを特徴とする請求項４または５に記載の入力装置。
【請求項７】
前記入力情報取得手段は、前記手が前記操作領域の外にある状態が一定期間以上継続したと判定した場合には、前記手の動きが前記所定方向の動きでない場合であっても、前記入力情報の取得を終了することを特徴とする請求項１から６のいずれか１項に記載の入力装置。
【請求項８】
前記入力情報取得手段は、前記手が前記操作領域の外にあって、かつ前記手の移動速度が一定以上であると判定した場合には、前記手の動きが前記所定方向の動きでない場合であっても、前記入力情報の取得を終了することを特徴とする請求項１から７のいずれか１項に記載の入力装置。
【請求項９】
前記操作領域設定手段は、前記人物位置取得手段の取得結果に基づき、前記操作領域と隣接し、かつ前記操作領域よりも前記人物に近い位置に準操作領域をさらに設定し、
前記入力情報取得手段は、前記手が前記操作領域の外にあって、かつ前記手が前記準操作領域の外にあると判定した場合には、前記手の動きが前記所定方向の動きでない場合であっても、前記入力情報の取得を終了することを特徴とする請求項１から８のいずれか１項に記載の入力装置。
【請求項１０】
前記入力情報取得手段は、下記（ａ）〜（ｆ）のうちの一部または全部の複数の条件の論理演算の結果に基づき、前記入力情報の取得を終了することを特徴とする請求項１から９のいずれか１項に記載の入力装置。
（ａ）前記手が前記操作領域の外にある。
（ｂ）前記手が前記操作領域から離れる際の前記手の動きの方向を示す第１の方向線が、前記操作領域に対応する人物に対して所定の位置に設定される基準領域を通過する。
（ｃ）前記操作領域に対応する人物に対して所定の位置に定められる一点と前記手の位置を結ぶ直線と、前記手が前記操作領域から離れる際の前記手の動きの方向を示す第２の方向線とがなす角が所定範囲内である。
（ｄ）前記手が前記操作領域の外にある状態が一定期間以上継続した。
（ｅ）前記手の移動速度が一定以上である。
（ｆ）前記手が、前記操作領域と隣接し、かつ前記操作領域よりも前記人物に近い位置に設定される準操作領域の外にある。
【請求項１１】
前記入力情報取得手段は、前記手位置取得手段の取得結果に基づき、前記手が前記操作領域に接触したと判定した場合、前記手が前記操作領域に接触する際の前記手の動きが所定方向の動きであると判定したときに、前記手の位置または動きに基づく入力情報の取得を開始することを特徴とする請求項１から１０のいずれか１項に記載の入力装置。
【請求項１２】
前記入力情報の取得を開始する場合における前記所定方向の動きは、前記操作領域に対応する人物側から前記操作領域に向かう方向の動きであることを特徴とする請求項１１に記載の入力装置。
【請求項１３】
前記人物位置取得手段の取得結果に基づき、前記人物に対して所定の位置に仮想的な開始基準領域を設定する開始基準領域設定手段をさらに備え、
前記入力情報取得手段は、前記手位置取得手段の取得結果に基づき、前記手が前記操作領域に接触したと判定した場合に、前記手が前記操作領域に接触する際の前記手の動きの方向を示す第３の方向線を求め、当該第３の方向線が前記操作領域に対応する人物に対して設定された開始基準領域を通過すると判定したときに、前記手の位置または動きに基づく入力情報の取得を開始することを特徴とする請求項１１または１２に記載の入力装置。
【請求項１４】
前記入力情報取得手段は、前記入力情報として、前記手の位置に基づいて所定の２次元座標系における２次元座標を取得することを特徴とする請求項１から１３のいずれか１項に記載の入力装置。
【請求項１５】
人物の位置を取得する人物位置取得ステップと、
手の位置を取得する手位置取得ステップと、
前記人物位置取得ステップの取得結果に基づき、前記人物の前方に仮想的な操作領域を設定する操作領域設定ステップと、
前記手位置取得ステップの取得結果に基づき、前記手が前記操作領域に接触したと判定した場合に、前記手の位置または動きに基づく入力情報の取得を開始し、前記手が前記操作領域から離れたと判定した場合、前記手が前記操作領域から離れる際の前記手の動きが所定方向の動きであると判定したときに、前記入力情報の取得を終了する入力情報取得ステップと、
前記人物位置取得ステップの取得結果に基づき、前記人物に対して所定の位置に仮想的な基準領域を設定する基準領域設定ステップと
を含み、
前記所定方向の動きは、前記操作領域に対応する人物側に向かう方向の動きであり、
前記入力情報取得ステップは、前記手位置取得ステップの取得結果に基づき、前記手が前記操作領域から離れたと判定した場合、前記手が前記操作領域から離れる際の前記手の動きの方向を示す第１の方向線を求め、当該第１の方向線が前記操作領域に対応する人物に対して設定された基準領域を通過すると判定したときに、前記入力情報の取得を終了することを特徴とする情報処理方法。
【請求項１６】
人物の位置を取得する人物位置取得ステップと、
手の位置を取得する手位置取得ステップと、
前記人物位置取得ステップの取得結果に基づき、前記人物の前方に仮想的な操作領域を設定する操作領域設定ステップと、
前記手位置取得ステップの取得結果に基づき、前記手が前記操作領域に接触したと判定した場合に、前記手の位置または動きに基づく入力情報の取得を開始し、前記手が前記操作領域から離れたと判定した場合、前記手が前記操作領域から離れる際の前記手の動きが所定方向の動きであると判定したときに、前記入力情報の取得を終了する入力情報取得ステップと、
前記人物位置取得ステップの取得結果に基づき、前記人物に対して所定の位置に仮想的な基準領域を設定する基準領域設定ステップと
をコンピュータに実行させ、
前記所定方向の動きは、前記操作領域に対応する人物側に向かう方向の動きであり、
前記入力情報取得ステップは、前記手位置取得ステップの取得結果に基づき、前記手が前記操作領域から離れたと判定した場合、前記手が前記操作領域から離れる際の前記手の動きの方向を示す第１の方向線を求め、当該第１の方向線が前記操作領域に対応する人物に対して設定された基準領域を通過すると判定したときに、前記入力情報の取得を終了することを特徴とする情報処理プログラム。
【手続補正２】
【補正対象書類名】明細書
【補正対象項目名】０００６
【補正方法】変更
【補正の内容】
【０００６】
本発明に係る入力装置は、人物の位置を取得する人物位置取得手段と、手の位置を取得する手位置取得手段と、前記人物位置取得手段の取得結果に基づき、前記人物の前方に仮想的な操作領域を設定する操作領域設定手段と、前記手位置取得手段の取得結果に基づき、前記手が前記操作領域に接触したと判定した場合に、前記手の位置または動きに基づく入力情報の取得を開始し、前記手が前記操作領域から離れたと判定した場合、前記手が前記操作領域から離れる際の前記手の動きが所定方向の動きであると判定したときに、前記入力情報の取得を終了する入力情報取得手段と、前記人物位置取得手段の取得結果に基づき、前記人物に対して所定の位置に仮想的な基準領域を設定する基準領域設定手段とを備え、前記所定方向の動きは、前記操作領域に対応する人物側に向かう方向の動きであり、前記入力情報取得手段は、前記手位置取得手段の取得結果に基づき、前記手が前記操作領域から離れたと判定した場合、前記手が前記操作領域から離れる際の前記手の動きの方向を示す第１の方向線を求め、当該第１の方向線が前記操作領域に対応する人物に対して設定された基準領域を通過すると判定したときに、前記入力情報の取得を終了することを特徴とする。
【手続補正３】
【補正対象書類名】明細書
【補正対象項目名】０００７
【補正方法】変更
【補正の内容】
【０００７】
また、本発明に係る情報処理方法は、人物の位置を取得する人物位置取得ステップと、手の位置を取得する手位置取得ステップと、前記人物位置取得ステップの取得結果に基づき、前記人物の前方に仮想的な操作領域を設定する操作領域設定ステップと、前記手位置取得ステップの取得結果に基づき、前記手が前記操作領域に接触したと判定した場合に、前記手の位置または動きに基づく入力情報の取得を開始し、前記手が前記操作領域から離れたと判定した場合、前記手が前記操作領域から離れる際の前記手の動きが所定方向の動きであると判定したときに、前記入力情報の取得を終了する入力情報取得ステップと、前記人物位置取得ステップの取得結果に基づき、前記人物に対して所定の位置に仮想的な基準領域を設定する基準領域設定ステップとを含み、前記所定方向の動きは、前記操作領域に対応する人物側に向かう方向の動きであり、前記入力情報取得ステップは、前記手位置取得ステップの取得結果に基づき、前記手が前記操作領域から離れたと判定した場合、前記手が前記操作領域から離れる際の前記手の動きの方向を示す第１の方向線を求め、当該第１の方向線が前記操作領域に対応する人物に対して設定された基準領域を通過すると判定したときに、前記入力情報の取得を終了することを特徴とする。
【手続補正４】
【補正対象書類名】明細書
【補正対象項目名】０００８
【補正方法】変更
【補正の内容】
【０００８】
また、本発明に係る情報処理プログラムは、人物の位置を取得する人物位置取得ステップと、手の位置を取得する手位置取得ステップと、前記人物位置取得ステップの取得結果に基づき、前記人物の前方に仮想的な操作領域を設定する操作領域設定ステップと、前記手位置取得ステップの取得結果に基づき、前記手が前記操作領域に接触したと判定した場合に、前記手の位置または動きに基づく入力情報の取得を開始し、前記手が前記操作領域から離れたと判定した場合、前記手が前記操作領域から離れる際の前記手の動きが所定方向の動きであると判定したときに、前記入力情報の取得を終了する入力情報取得ステップと、前記人物位置取得ステップの取得結果に基づき、前記人物に対して所定の位置に仮想的な基準領域を設定する基準領域設定ステップとをコンピュータに実行させ、前記所定方向の動きは、前記操作領域に対応する人物側に向かう方向の動きであり、前記入力情報取得ステップは、前記手位置取得ステップの取得結果に基づき、前記手が前記操作領域から離れたと判定した場合、前記手が前記操作領域から離れる際の前記手の動きの方向を示す第１の方向線を求め、当該第１の方向線が前記操作領域に対応する人物に対して設定された基準領域を通過すると判定したときに、前記入力情報の取得を終了することを特徴とする。